(57)【要約】【課題】通行人は、予め路面の凍結情報を知ることができ、その凍結情報に基づいて防滑材貯蔵箱に貯蔵した防滑材を適宜取り出して路面に撒布でき、それによって転倒事故を少なくする。【解決手段】防滑材入り容器を取り出し可能に貯蔵するための防滑材貯蔵箱本体と、この本体に付設され、外部から見えるように、防滑材の撒布を指示するメッセージを表示するための表示部と、路面の凍結を検出し、その検出信号に基づいて表示部に作動を指令する作動指令部とからなる防滑材貯蔵箱。【選択図】図２
2006104736.tif 000002
【特許請求の範囲】
【請求項１】
防滑材入り袋又は容器を取り出し可能に貯蔵するための防滑材貯蔵箱本体と、この本体又はその近傍に設けられ、外部から見えるように、少なくとも防滑材の撒布を指示するか、勧めるメッセージ及び／又はしるしを表示するための表示部と、路面の凍結を検出し、その検出信号に基づいて表示部に作動を指令する作動指令部とからなる防滑材貯蔵・使用システム。
【請求項２】
作動指令部が、路面の凍結検出用センサと、このセンサからの有線又は無線による検出信号に基づいて表示部に作動を指令する制御器とからなる請求項１に記載の防滑材貯蔵・使用システム。
【請求項３】
表示部に有線又は無線により強制的に作動を指令する補助作動指令部をさらに備えた請求項１又は２に記載の防滑材貯蔵・使用システム。
【請求項４】
防滑材の撒布を指示するか、勧めることに関連する、表示部とは異なるメッセージ及び／又はしるしを表示するための副表示部と、作動司令部が表示部に作動を指令しないときに、副表示部に作動を指令する副作動司令部とをさらに備えた請求項１〜３のいずれか一つに記載の防滑材貯蔵・使用システム。
【請求項５】
表示部が、その表示部分をＬＥＤ表示板又は蛍光表示板としてなる請求項１〜４のいずれか一つに記載の防滑材貯蔵・使用システム。
【請求項６】
防滑材貯蔵箱本体が、防滑材入りの袋又は容器を出し入れ可能に貯蔵する貯蔵ユニットと、この貯蔵ユニットを連結・離脱可能に下から支持する台座ユニットと、貯蔵ユニットを連結・離脱可能に上から覆う蓋ユニットとからなり、
表示部が、その表示部分を蓋ユニットの正面、側面又は上面に設けてなる請求項１〜５のいずれか一つに記載の防滑材貯蔵・使用システム。
【請求項７】
貯蔵ユニットが、１個又は連結・離脱可能に上下に積み重なる複数個の箱単体からなる６に記載の防滑材貯蔵・使用システム。
【請求項８】
防滑材入り袋又は容器が、防滑材入りポリエチレン・テレフタレート樹脂製ボトルである請求項１〜７のいずれか一つに記載の防滑材貯蔵・使用システム。
【発明の詳細な説明】
【技術分野】
【０００１】
本発明は、防滑材貯蔵・使用システムに関し、さらに詳しくは、寒冷地や雪国等で凍結した路面に撒いて滑り止めする防滑材を道路脇や交差点脇に貯蔵しておくための防滑材貯蔵・使用システムに関する。
【背景技術】
【０００２】
この種の防滑材貯蔵箱は、防滑材（“防滑砂”、または、単に“砂”と称することもある）を貯蔵し、路面が凍結したときに、通行人が適宜防滑材を取り出せるように構成されている。そして、取り出された防滑材は、路面に撒かれ、その路面での通行を容易にする（特許文献１および２参照）。
しかし、防滑材を撒く必要があるかどうかは、通行人が路面を通ってみないと分からない場合が多く、滑ったり、転倒することが多いのが現状である。
【０００３】
【特許文献１】特開平７−３３１６３０号公報
【特許文献２】登録実用新案第３０４３４５６号公報
【発明の開示】
【発明が解決しようとする課題】
【０００４】
そこで、本発明の主要な目的の一つは、防滑材の要否を表示でき、それによって、通行人が、路面を通る前にその表示を見て、必要により防滑材を取り出して撒布できるようにした防滑材貯蔵・使用システムを提供することである。
【課題を解決するための手段】
【０００５】
本発明は、防滑材入り袋又は容器を取り出し可能に貯蔵するための防滑材貯蔵箱本体と、この本体又はその近傍に設けられ、外部から見えるように、少なくとも防滑材の撒布を指示するか、勧めるメッセージ及び／又はしるしを表示するための表示部と、路面の凍結を検出し、その検出信号に基づいて表示部に作動を指令する作動指令部とからなる防滑材貯蔵・使用システムを提供する。
【発明の効果】
【０００６】
本発明によれば、防滑材の散布を指示するか、勧めるメッセージおよび／またはしるしを表示するための表示部と、路面の凍結を検出し、その検出信号に基づいて表示部に作動を指令する作動指令部とを備えているので、通行人に路面の凍結情報を予め伝えることができ、通行人は、その凍結情報に基づいて、防滑材貯蔵箱に貯蔵した防滑材を適宜取り出して路面に撒布でき、それによって滑ったり、転倒したりする事故を少なくすることができるという利点がある。
【発明を実施するための最良の形態】
【０００７】
本発明に係る防滑材貯蔵箱は、防滑材入り袋または容器を取り出し可能に貯蔵するための防滑材貯蔵箱本体と、この本体に付設され、外部から見えるように、少なくとも防滑材の撒布を指示するか、勧めるメッセージ及び／又はしるしを表示するための表示部と、路面の凍結を検出し、その検出信号に基づいて表示部に作動を指令する作動指令部とからなることを特徴とする。
【０００８】
ここで、表示部（表示装置）としては、外部から見えるように、特定のメッセージおよび／またはしるしを表示するための表示部分を有するものであれば、特に限定されず、通常この分野で使用されるものが使用できる。具体的には、ＬＥＤ表示板（発光ダイオード表示板）、蛍光表示板などが好ましい表示部分（表示器）として挙げられる。特にＬＥＤ表示板または蛍光表示板は、夜間や防滑材貯蔵箱の周りが暗い場合でも、メッセージおよび／またはしるしを、明るく、分かりやすく表示できると共に防滑材貯蔵箱の周りを明るくできるのでより好ましい。
この表示部は、防滑材貯蔵箱本体又はその近傍に設けられが、後者の防滑材貯蔵箱本体の近傍に設けられる場合は、その表示が防滑材貯蔵箱本体に関連することが分かる範囲内に接近して設けられる場合であって、例えば、防滑材貯蔵箱本体に隣接して立てられた支柱に設けられる。
【０００９】
これらの表示部分は、防滑材の散布を指示するか、勧めるメッセージおよび／またはしるしを表示するが、具体的には、例えば、「路面凍結」、「危険状態」、「砂の撒布にご協力ください」、「滑り止め砂をご使用ください」、さらにこれらの表示を組み合わせた、「路面凍結！  砂の撒布にご協力ください」、「路面凍結！ 防滑砂をこの箱の中から取り出して撒いてください！」、「路面凍結注意！ 内部↓の防滑砂使用可！」などの表示や、「路面凍結！」と「防滑砂の撒布必要！」との交互の表示などが挙げられる。
【００１０】
さらに、防滑材の散布を指示するか、勧めることに関連する、表示部とは異なるメッセージ及び／又はしるしを表示するための副表示部と、作動司令部が表示部に作動を指令しないときに、副表示部に作動を指令する副作動司令部とをさらに備えてもよい。この副表示部としては、例えば、「この箱には防滑砂が貯蔵されています。路面凍結！の表示があるときは、この箱から防滑砂を取り出して路面に撒布しましょう！」、「路面が凍結したときの転倒事故に注意しましょう！」などが挙げられ、さらに、路面の通行に関連する、気温、雨、風、雪、霜、雷などの気象情報や緊急警報情報などを加えることもできる。
【００１１】
本発明において、作動指令部は、具体的には、例えば路面の凍結検出用センサと、このセンサからの有線または無線による検出信号に基づいて表示部に作動を指令する制御器とで構成される。路面の凍結検出用センサとしては、路面上部に埋設されるか、路面上に接設される温度センサ、路面状態センサなどが用いられ、さらにこれらの路面のセンサと、気温センサなど他の道路気象情報システムとを組み合わせることもできる。
【００１２】
さらに、表示部に有線または無線により強制的に作動を指令する補助作動指令部をさらに備えるのが望ましい。例えば、道路パトロール車（隊）が路面の凍結を発見した場合などに、無線によるか、手動により（予め設置された緊急補助スイッチ回路を操作）、表示部に強制的に作動を指令できる。
【００１３】
本発明において、防滑材貯蔵箱本体は、防滑材入りの袋または容器を出し入れ可能に貯蔵する貯蔵ユニットと、この貯蔵ユニットを連結・離脱可能に下から支持する台座ユニットと、貯蔵ユニットを連結・離脱可能に上から覆う蓋ユニットとで構成し、上述の表示部の表示部分を、この蓋ユニットの正面、側面または上面に設けるのが好ましい。ここで、貯蔵ユニットは、１個又は連結・離脱可能に上下に積み重なる複数個の箱単体で構成してもよい。
【００１４】
なお、本発明において、防滑材としては、例えば、砂（防滑砂）、融雪剤、道路凍結防止剤[塩化系凍結防止剤（塩化カルシウム、塩化カリウム）、酢酸系凍結防止剤（ＣＭＡ：ダイセル化学工業株式会社製）など]が挙げられる。そして、これらの防滑材を入れる袋としてはポリエチレン樹脂袋、麻袋などが、容器としてはポリエチレン・テレフタレート樹脂製ボトル（ＰＥＴボトル）、ポリエチレン樹脂製ボトルなどがそれぞれ使用可能である。
【００１５】
［実施の形態１］
図１は本発明に係る防滑材貯蔵箱の実施の形態１を示す概略正面図、図２はその拡大縦断面図、図３は実施の形態１に用いる表示部および作動指令部の表示系統図、図４は作動指令部の路面センサ系統図、図５は同じく制御器および表示部系統図、図６は防滑材貯蔵箱およびその路面センサ配置図である。
【００１６】
まず、図１および２において、防滑材貯蔵箱（収納箱）Ｇは、防滑材貯蔵箱本体Hと、表示部４と、路面Rの凍結を検出し、その検出信号に基づいて表示部４に作動を指令する作動指令部５とを備え、防滑材貯蔵箱本体Hは、防滑材入りＰＥＴボトル８（キャップは紐でボトル本体と連結し、散乱を防止）を出し入れ可能に貯蔵するボトル貯蔵ユニット１と、このボトル貯蔵ユニット１を連結・離脱可能に下から支持する台座ユニット２と、ボトル貯蔵ユニット１を連結・離脱可能に上から覆う蓋ユニット３とからなり、この蓋ユニットには、その正面に表示部４の表示部分６を、内部に作動司令部５の制御器９をそれぞれ有する。
【００１７】
つまり、この防滑材貯蔵箱Gは、各ユニット１、２、３から組立てられており、各ユニット１、２、３毎に分解することもできる。さらに、ボトル貯蔵ユニット１は、連結・離脱可能に上下に積み重なる複数個（この場合２個）の箱単体１０、１０からなる。これら、各ユニット及び箱単体１０・１０同士の接続構造は、後述のボルト・ナットの結合構造とされ、組み立てを容易にしている。
【００１８】
ボトル貯蔵ユニット１の箱単体１０は、左右の側壁１１、１２と、上壁１３と、後壁１４とが一体状に連設されてなる本体部１５と、この本体部１５の前方開口部を開閉可能に遮蔽する扉部１６とからなる。この扉部１６はその上辺部が左右の側壁１１、１２に略水平軸心廻りに揺動可能に取り付けられ、防滑材入りのＰＥＴボトル８、８を取り出し、貯蔵（収納）できるよう構成されている。なお、この実施の形態１の防滑材貯蔵箱Ｇ1の具体的な大きさ寸法は、例えば、左右幅：約５８ｃｍ、前後幅：約５２ｃｍ、高さ：約１２０ｃｍであり、箱単体１０は、高さ：約３４ｃｍである。
【００１９】
本体部１５は、原材料をポリエチレンとして回転成型することにより、上述した左右の側壁１１、１２、上壁１３及び後壁１４がそれぞれ二重壁構造で連設されて形成されている。そして、上壁１３の後辺部中央および両側辺部中央の３ヶ所に、ナット４がネジ孔を上下方向としてそれぞれ埋設（インサート成形）されている。一方、本体部１５の後壁１４には、その下位に凹部１４Cをそれぞれ有する。かくして、本体部１５・１５を上下に重ねた場合には、上位の本体部１５の凹部１４Cからボルト５を、下位の本体部１５のナット４に向かって締め付け、両本体部１５・１５を連結することができる。
【００２０】
次に、図３〜５において、防滑材貯蔵箱Gは、防滑材貯蔵箱本体Hに付設された、防滑材の撒布を指示するメッセージ「路面凍結」を表示するための表示部４と、路面の凍結を検出し、その検出信号に基づいて表示部４に作動を指令する作動指令部５とを備えている。表示部４は、特に図５において表示部分としての蛍光表示板６と、この蛍光表示板に表示内容のメッセージ「路面凍結」をパソコン（PC）で入力するための表示操作部分７とからなる。
【００２１】
作動指令部５は、特に図３において、路面R上に埋め込みされた路面凍結検出用センサSと、このセンサからの無線による検出信号に基づいて表示部４に作動を指令する制御器９とからなり、路面凍結検出用センサSは、図４において、発振器１７と、この発振器から高周波の供給を受ける電極１８と、この電極から得られる高周波の変化を調べ、路面凍結か、否かを判別する弁別器１９と、この弁別器で得られた、路面凍結か、否かの信号を発信する送信機２０とからなる。
【００２２】
次に、制御器９は、図５において、送信機２０で送られた路面凍結か、否かの信号を受ける受信機２１と、この受信機で受けられた信号をA/D変換する変換回路２２と、得られた変換信号に対応して表示部４に作動を指令する制御回路２３とからなる。
【００２３】
なお、防滑材貯蔵箱Gは、図６において、横断歩道の入口付近A,Bに設置され、路面凍結検出用センサSは、路面Rの中央Cの上部に埋め込まれ、検出信号を無線で制御器９に送るよう構成されている。制御器９は、図１および２において、防滑材貯蔵箱本体Hの蓋ユニット３の表示部４の後方（裏側）に配置されている。
【００２４】
防滑材貯蔵箱Gは、以上のごとく、防滑材の散布を指示するメッセージを表示するための表示部４と、路面Rの凍結を検出し、その検出信号に基づいて表示部４に作動を指令する作動指令部５とを備えているので、通行人に路面Rの凍結情報を予め伝えることができ、通行人は、その凍結情報に基づいて、防滑材貯蔵箱Gに貯蔵した防滑材入りPETボトル８を適宜取り出して路面に防滑材を撒布でき、それによって滑ったり、転倒事故を起こさないようにすることができる。
【００２５】
なお、作動指令部は、以上の実施の形態１とは異なり、路面R上に埋め込みされた路面凍結検出用センサSと、このセンサからの有線による検出信号に基づいて表示部４に作動を指令する制御器９とで構成することができる。
【図面の簡単な説明】
【００２６】
【図１】本発明に係る防滑材貯蔵箱の実施の形態１を示す概略正面図である。
【図２】図１の拡大縦断面図である。
【図３】実施の形態１に用いる表示部および作動指令部の表示系統図である。
【図４】作動指令部の路面センサ系統図である。
【図５】同じく制御器および表示部系統図である。
【図６】防滑材貯蔵箱およびその路面センサの配置図である。
【符号の説明】
【００２７】
１    ボトル貯蔵ユニット
２    台座ユニット
３    蓋ユニット
４    表示部
５    作動指令部
６    表示部分
７    表示操作部分
８    ＰＥＴボトル
９    制御器
１０  箱単体
１１  側壁
１２  側壁
１３  上壁
１４  後壁
１５  本体部
１６  扉部
G      防滑材貯蔵箱
H      防滑材貯蔵箱本体
R      路面
S      路面センサ
【図１】
2006104736.tif 000003
【図２】
2006104736.tif 000004
【図３】
2006104736.tif 000005
【図４】
2006104736.tif 000006
【図５】
2006104736.tif 000007
【図６】
2006104736.tif 000008
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
防滑材入り袋又は容器を取り出し可能に貯蔵するための防滑材貯蔵箱本体と、この本体又はその近傍に設けられ、少なくとも防滑材の撒布を指示するか、勧めるメッセージ及び／又はしるしを外部から見えるように表示するための表示部と、路面の凍結を検出し、その検出信号に基づいて表示部に作動を指令する作動指令部とからなる防滑材貯蔵・使用システム。
【請求項２】
作動指令部が、路面の凍結検出用センサと、このセンサからの有線又は無線による検出信号に基づいて表示部に作動を指令する制御器とからなる請求項１に記載の防滑材貯蔵・使用システム。
【請求項３】
表示部に有線又は無線により強制的に作動を指令する補助作動指令部をさらに備えた請求項１又は２に記載の防滑材貯蔵・使用システム。
【請求項４】
防滑材の撒布を指示するか、勧めることに関連する、表示部とは異なるメッセージ及び／又はしるしを表示するための副表示部と、作動司令部が表示部に作動を指令しないときに、副表示部に作動を指令する副作動司令部とをさらに備えた請求項１〜３のいずれか一つに記載の防滑材貯蔵・使用システム。
【請求項５】
表示部が、その表示部分をＬＥＤ表示板又は蛍光表示板としてなる請求項１〜４のいずれか一つに記載の防滑材貯蔵・使用システム。
【請求項６】
防滑材貯蔵箱本体が、防滑材入りの袋又は容器を出し入れ可能に貯蔵する貯蔵ユニットと、この貯蔵ユニットを連結・離脱可能に下から支持する台座ユニットと、貯蔵ユニットを連結・離脱可能に上から覆う蓋ユニットとからなり、
表示部が、その表示部分を蓋ユニットの正面、側面又は上面に設けてなる請求項１〜５のいずれか一つに記載の防滑材貯蔵・使用システム。
【請求項７】
貯蔵ユニットが、１個又は連結・離脱可能に上下に積み重なる複数個の箱単体からなる請求項６に記載の防滑材貯蔵・使用システム。
【請求項８】
防滑材入り袋又は容器が、防滑材入りポリエチレン・テレフタレート樹脂製ボトルである請求項１〜７のいずれか一つに記載の防滑材貯蔵・使用システム。
【手続補正２】
【補正対象書類名】明細書
【補正対象項目名】０００５
【補正方法】変更
【補正の内容】
【０００５】
本発明は、防滑材入り袋又は容器を取り出し可能に貯蔵するための防滑材貯蔵箱本体と、この本体又はその近傍に設けられ、少なくとも防滑材の撒布を指示するか、勧めるメッセージ及び／又はしるしを外部から見えるように表示するための表示部と、路面の凍結を検出し、その検出信号に基づいて表示部に作動を指令する作動指令部とからなる防滑材貯蔵・使用システムを提供する。